(57)【特許請求の範囲】
【請求項１】
少なくとも基板と記録層を備え、前記基板の表面にグルーブが形成され、前記記録層にレーザビームを照射することによって、前記記録層にデータを記録し、前記記録層に記録されたデータを再生可能な光記録媒体であって、レーザビームの走査方向に対して、前記基板の再生専用領域内のグルーブが右側にウォブルした部分では、前記グルーブの左側の溝の角度α１が右側の溝の角度α２よりも大きく、前記基板の前記再生専用領域内のグルーブが左側にウォブルした部分では、前記グルーブの右側の溝の角度β２が左側の溝の角度β１よりも大きくなるように、前記基板の再生専用領域内にグルーブが形成されたことを特徴とする光記録媒体。
【請求項２】
前記基板の前記グルーブの左側の溝の角度α１と右側の溝の角度α２との差の絶対値｜α１−α２｜が１°ないし５°で、前記グルーブの右側の溝の角度β２と左側の溝の角度β１との差の絶対値｜β１−β２｜が１°ないし５°であることを特徴とする請求項１に記載の光記録媒体。
【請求項３】
前記記録層が、下記一般式（１）ないし一般式（４）のいずれかで表わされる特定の構造のアゾ化合物が配位する金属イオンから構成される金属錯体化合物からなり、前記金属が、ニッケル、コバルトおよび銅から選ばれる色素を含んでいることを特徴とする請求項１または２に記載の光記録媒体（上記一般式（１）および（２）において、Ａは含窒素複素芳香環を、一般式（３）および（４）において、Ｂは含窒素複素芳香環であり、Ｒは炭素数１ないし６のアルキル基または分岐アルキル基であるが、環状構造を有していてもよい。一般式（１）および（３）中のＸ、Ｙ、Ｚ、ならびに、一般式（２）および（４）中のＸ’、Ｙ’は、各々独立に、置換基を有してもよい炭素原子、酸素原子、硫黄原子、窒素原子から選ばれるいずれか１種であり、これらはβ−ジケトン構造とともに５員環または６員環を形成している。）。
【化２０】
0005833848.tif 000021
【化２１】
0005833848.tif 000022
【化２２】
0005833848.tif 000023
【化２３】
0005833848.tif 000024
【請求項４】
前記記録層が、下記構造式（１）ないし（５）のいずれかによって表わされる色素を含んでいることを特徴とする請求項３に記載の光記録媒体。
【化２４】
0005833848.tif 000025
【化２５】
0005833848.tif 000026
【化２６】
0005833848.tif 000027
【化２７】
0005833848.tif 000028
【化２８】
0005833848.tif 000029
【発明の詳細な説明】
【技術分野】
【０００１】
本発明は、デトラックによるＳＥＲのマージンを広くすることが可能で、ウォブル信号のＣ／Ｎのキャリアを増大させることができ、ウォブル量を小さくしても同等のキャリアを得ることができ、ウォブル量を小さくすることによって、クロストークを低減させ、ウォブル信号のＣ／Ｎのノイズを低減させることができる光記録媒体に関するものである。
【背景技術】
【０００２】
波長が３５０ｎｍないし５００ｎｍの青色レーザを用いて、データを記録し、記録されたデータを再生する光記録媒体が急速に普及しつつあるが、スピンコーティング法によって、円形の基板の内周側から記録材料を塗布することによって、記録層を形成する光記録媒体にあっては、窪みの中心とグルーブの中心との間にずれが生じるという問題があり、また、近接場光を用いて、データを記録し、記録されたデータを再生する光記録媒体にあっては、微小なグルーブ（案内溝）に正確にトラッキングできるようにする必要がある。
【０００３】
従来は、内周側と外周側とで、グルーブの角度を異なるように、グルーブを形成することによって、かかる問題の解決を図っていた。
【先行技術文献】
【特許文献】
【０００４】
【特許文献１】特開平１−３１５０４４号公報
【特許文献２】特開２０００−３２２７７４号公報
【特許文献３】特開２００５−１４１７８６号公報
【特許文献４】ＷＯ２００５／０１５５５５号公報
【発明の概要】
【発明が解決しようとする課題】
【０００５】
一方、光記録媒体の内周側に位置する再生専用領域には、光記録媒体のＤＩ情報（ディスクインフォメーション情報）など、重要な情報が書き込まれており、この領域に記録された情報の読取りができない場合には、データの記録動作に移る前に、光記録媒体の認識エラーが発生するなど、重大な異常が発生する場合がある。光記録媒体の内周側に位置する再生専用領域に情報を記録する場合には、グルーブ（案内溝）を蛇行させて（ウォブリングさせて）、ＡＴＩＰ（Absolute Time In
Pregroove）と呼ばれる絶対時間を示す情報をウォブリング領域に入れ込むのが一般的であるが、そのような場合には、デトラックなどの外乱が発生し、その結果、追従トラックの信号レベルが低下し、隣り合ったグルーブ（案内溝）の間にクロストークが発生して、再生信号のＣ／Ｎが悪化するため、ＳＥＲマージンが減少し、所望のように、再生専用領域に記録された情報を読み取ることができないという問題があった。かかる問題は、内周側と外周側とで、グルーブの角度を異なるように、グルーブを形成しても解決ができなかった。
【０００６】
したがって、デトラックによるＳＥＲのマージンを広くすることが可能で、ウォブル信号のＣ／Ｎのキャリアを増大させることができ、ウォブル量を小さくしても同等のキャリアを得ることができ、ウォブル量を小さくすることによって、クロストークを低減させ、ウォブル信号のＣ／Ｎのノイズを低減させることが可能になり、デトラックなどの外乱が生じても、ウォブル信号のＣ／Ｎのキャリアを増大させ、ノイズを低減させることができる光記録媒体を提供することを目的とするものである。
【課題を解決するための手段】
【０００７】
本発明者は、本発明のかかる目的を達成するため、鋭意研究を重ねた結果、基板の再生専用領域のグルーブ（案内溝）を、レーザビームの走査方向に対して、左側にウォブルさせた場合には、グルーブの右側の溝角度が、左側の溝角度よりも大きく、グルーブを右側にウォブルさせた場合には、グルーブの左側の溝角度が右側の溝角度よりも大きくなるように、再生専用領域のグルーブを形成すると、ピックアップの光検出器への戻り光量の差分量（回折量）が増加して、ウォブル信号のＣ／Ｎのキャリアを増大させることが可能になることを見出した。
【０００８】
本明細書においては、「グルーブの右側の溝角度」とは、基板の表面に対して、反時計回りに測定をしたグルーブの右側の壁面の角度と定義され、「グルーブの左側の溝角度」とは、基板の表面に対して、時計回りに測定をしたグルーブの左側の壁面の角度と定義されている。
【０００９】
本発明はかかる知見に基づくものであり、本発明によれば、本発明の前記目的は、少なくとも基板と記録層を備え、前記基板の表面にグルーブが形成され、前記記録層にレーザビームを照射することによって、前記記録層にデータを記録し、前記記録層に記録されたデータを再生可能な光記録媒体であって、レーザビームの走査方向に対して、前記基板の再生専用領域内のグルーブが右側にウォブルした部分では、前記グルーブの左側の溝角度α１が右側の溝角度α２よりも大きく、前記基板の前記再生専用領域内のグルーブが左側にウォブルした部分では、前記グルーブの右側の溝角度β２が左側の溝角度β１よりも大きくなるように、前記基板の再生専用領域内にグルーブが形成されたことを特徴とする光記録媒体によって達成される。
【００１０】
レーザビームの走査方向に対して、グルーブを右側にウォブルさせた場合には、グルーブの左側の溝角度α１が右側の溝角度α２よりも大きく、グルーブを左側にウォブルさせた場合には、グルーブの右側の溝角度β２が左側の溝角度β１よりも大きくなるように、再生専用領域のグルーブを形成することによって、本発明の前記目的が達成される理由は定かではないが、グルーブを右側にウォブルさせた場合には、グルーブの左側の溝角度α１が右側の溝角度α２よりも大きく、グルーブを左側にウォブルさせた場合には、グルーブの右側の溝角度β２が左側の溝角度β１よりも大きくなるように、再生専用領域のグルーブを形成すると、デトラックによるＳＥＲのマージンを広くすることができ、ピックアップの光検出器への戻り光量の差分量（回折量）が増加して、ウォブル信号のＣ／Ｎのキャリアを増大させることができるようになるために、ウォブル量を小さくしても同等のキャリアを得ることができ、ウォブル量を小さくすることによって、クロストークを低減させ、ウォブル信号のＣ／Ｎのノイズを低減させることが可能になり、デトラックなどの外乱が生じても、ウォブル信号のＣ／Ｎのキャリアを増大させ、ノイズを低減させることができるため、ウォブル信号の品位を良好に維持することができ、光記録媒体の認識エラーの発生などの重大なエラーが発生することができるためと考えられる。
【００１１】
本発明において、前記基板の前記再生専用領域内の前記グルーブの左側の溝の角度α１と右側の溝の角度α２との差の絶対値｜α１−α２｜が１°ないし５°で、前記グルーブの右側の溝の角度β２と左側の溝の角度β１との差の絶対値｜β１−β２｜が１°ないし５°であることが好ましい。本発明者の研究によれば、グルーブの左側の溝の角度α１と右側の溝の角度α２との差の絶対値｜α１−α２｜およびグルーブの右側の溝の角度β２と左側の溝の角度β１との差の絶対値｜β１−β２｜がゼロの場合には、デトラックによるＳＥＲのマージンが狭く、実用的ではなく、また、グルーブの左側の溝の角度α１と右側の溝の角度α２との差の絶対値｜α１−α２｜またはグルーブの右側の溝の角度β２と左側の溝の角度β１との差の絶対値｜β１−β２｜が６°以上になるように、スタンパを作製することが困難であり、グルーブの左側の溝の角度α１と右側の溝の角度α２との差の絶対値｜α１−α２｜およびグルーブの右側の溝の角度β２と左側の溝の角度β１との差の絶対値｜β１−β２｜が０以上、１°未満である場合には、デトラックによるＳＥＲのマージンが広くはなるが、実用的に必ずしも十分に広くはならないということが見出されている。
【００１２】
本発明の好ましい実施態様においては、前記記録層が下記の一般式（１）ないし一般式（４）のいずれかで表わされる特定の構造のアゾ化合物が配位する金属イオンから構成される金属錯体化合物からなり、前記金属が、ニッケル、コバルトおよび銅から選ばれる色素を含んでいる。
【００１３】
【化１】
0005833848.tif 000002
【００１４】
【化２】
0005833848.tif 000003
【００１５】
【化３】
0005833848.tif 000004
【００１６】
【化４】
0005833848.tif 000005
ここに、一般式（１）および（２）において、Ａは含窒素複素芳香環を、一般式（３）および（４）において、Ｂは含窒素複素芳香環であり、Ｒは炭素数１ないし６のアルキル基または分岐アルキル基であるが、環状構造を有していてもよい。一般式（１）および（３）中のＸ、Ｙ、Ｚ、ならびに、一般式（２）および（４）中のＸ’、Ｙ’は、各々独立に、置換基を有してもよい炭素原子、酸素原子、硫黄原子、窒素原子から選ばれるいずれか１種であり、これらはβ−ジケトン構造とともに５員環または６員環を形成する。
【００１７】
本発明のさらに好ましい実施態様においては、記録層が以下の構造式（１）ないし（５）によって表わされる色素を含んでいる。
【００１８】
【化５】
0005833848.tif 000006
【００１９】
【化６】
0005833848.tif 000007
【００２０】
【化７】
0005833848.tif 000008
【００２１】
【化８】
0005833848.tif 000009
【００２２】
【化９】
0005833848.tif 000010
【発明の効果】
【００２３】
本発明によれば、デトラックによるＳＥＲのマージンを大きくすることが可能で、ウォブル信号のＣ／Ｎのキャリアを増大させることができ、ウォブル量を小さくしても同等のキャリアを得ることができ、ウォブル量を小さくすることによって、クロストークを低減させ、ウォブル信号のＣ／Ｎのノイズを低減させることが可能になり、デトラックなどの外乱が生じても、ウォブル信号のＣ／Ｎのキャリアを増大させ、ノイズを低減させることができる光記録媒体を提供することが可能になる。
【図面の簡単な説明】
【００２４】
【図１】図１は、本発明の好ましい実施態様にかかる光記録媒体の略斜視図である。
【図２】図２は、図１に示された光記録媒体の略一部断面図である。
【図３】図３は、基板の再生専用領域に形成されたグルーブおよびランドの詳細を示す略平面図である。
【図４】図４は、右側にウォブルしている第一のウォブル部のレーザビームの走査方向に垂直な方向の略断面図である。
【図５】図５は、左側にウォブルしている第二のウォブル部のレーザビームの走査方向に垂直な方向の略断面図である。
【発明を実施するための形態】
【００２５】
図１は、本発明の好ましい実施態様にかかる光記録媒体の略斜視図であり、図２は、図１に示された光記録媒体の略一部断面図である。
【００２６】
図１および図２に示されるように、光記録媒体１は円板状をなし、表面にグルーブ２ａおよびランド２ｂが形成された基板２を備え、基板２の表面に、反射層３、記録層４、保護層５およびカバー層６がこの順に形成されている。図１において、参照番号１０で示されているのはセンターホールである。
【００２７】
本実施態様にかかる光記録媒体は追記型の光記録媒体として構成されている。
【００２８】
以上のような構成を有する光記録媒体１は、たとえば、以下のようにして作製される。
【００２９】
まず、基板２の表面上に形成されるべきグルーブ２ａおよびランド２ｂに対応する凹凸形状の表面を有するスタンパ（図示せず）を成形金型に装着して、射出成形法によって、基板２を成形する。
【００３０】
センターホール１０の中心から２２．２ｍｍないし２３．５ｍｍに位置する基板２の再生専用領域には、所定のピッチと、所定のウォブル量で、所定の断面形状を有するグルーブ２ａとランド２ｂが形成され、センターホール１０の中心から２３．５ｍｍないし５８．０ｍｍに位置する基板２のデータ記録領域には、再生専用領域に形成されたグルーブ２ａおよびランド２ｂよりも小さいピッチで、グルーブ２ａとランド２ｂが形成されている。
【００３１】
基板２は、光記録媒体１の支持体として機能し、中央にセンターホール１０が形成された約１．１ｍｍの厚さを有する円板である。基板２を形成するための材料は、光記録媒体１の支持体としての機能を有していれば、とくに限定されるものではなく、基板２は、たとえば、ポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂などの透明樹脂を用いて、射出成形法によって作製されている。
【００３２】
図２に示されるように、基板２の一方の主面には、交互に、グルーブ２ａおよびランド２ｂが形成されている。基板２の表面に形成されたグルーブ２ａおよび／またはランド２ｂは、データを記録する場合およびデータを再生する場合において、レーザビームのガイドトラックとして、機能するものである。
【００３３】
図２に示されるように、基板２のグルーブ２ａおよびランド２ｂが形成された側の主面には、反射層３が形成されている。
【００３４】
反射層３は、カバー層６、保護層５および記録層４を介して、入射したレーザビームを反射し、カバー層６から出射する機能を有している。
【００３５】
反射層３の厚さは、とくに限定されるものではないが、１０ｎｍないし３００ｎｍであることが好ましく、２０ｎｍないし２００ｎｍであることが、とくに好ましい。
【００３６】
反射層３を形成するための材料は、レーザビームを反射する機能を有していれば、とくに限定されるものではないが、好ましくは、反射層３は、金、アルミニウム、銀、銅、パラジウムなどの単体金属膜や、これら各々の合金膜、さらには、これらの単体金属や合金に微量成分が添加された微量成分含有金属の金属膜などによって形成されている。
【００３７】
図２に示されるように、反射層３の表面上には、記録層４が形成されている。
【００３８】
本実施態様においては、記録層４は、たとえば、下記の一般式（１）ない一般式（４）のいずれかで表わされる特定の構造のアゾ化合物が配位する金属イオンから構成される金属錯体化合物からなり、前記金属が、ニッケル、コバルトおよび銅から選ばれる色素をＴＦＰ（テトラフルオロプロパノール）などの溶剤に溶解させて得た色素溶液を、反射層３の表面上に、スピンコーティング法により塗布することによって形成されている。本実施態様においては、記録層４は吸収最大波長λｍａｘでの３８１ｎｍにおける光学密度（ＯＤ値）が所定の値になるように、色素溶液を塗布して形成されている。
【００３９】
ここに、光学密度（ＯＤ値）は、基板２のみの吸光度をゼロとして、基板２の表面上に反射層を形成せずに、直接、記録層４を形成したときの吸光度である。
【００４０】
【化１０】
0005833848.tif 000011
【００４１】
【化１１】
0005833848.tif 000012
【００４２】
【化１２】
0005833848.tif 000013
【００４３】
【化１３】
0005833848.tif 000014
ここに、一般式（１）および（２）において、Ａは含窒素複素芳香環を、一般式（３）および（４）において、Ｂは含窒素複素芳香環であり、Ｒは炭素数１ないし６のアルキル基または分岐アルキル基であるが、環状構造を有していてもよい。一般式（１）および（３）中のＸ、Ｙ、Ｚ、ならびに、一般式（２）および（４）中のＸ’、Ｙ’は、各々独立に、置換基を有してもよい炭素原子、酸素原子、硫黄原子、窒素原子から選ばれるいずれか１種であり、これらはβ−ジケトン構造とともに５員環または６員環を形成する。
【００４４】
具体的には、記録層４が以下の構造式（１）ないし（５）によって表わされる色素を含んでいる。
【００４５】
【化１４】
0005833848.tif 000015
【００４６】
【化１５】
0005833848.tif 000016
【００４７】
【化１６】
0005833848.tif 000017
【００４８】
【化１７】
0005833848.tif 000018
【００４９】
【化１８】
0005833848.tif 000019
図２に示されるように、記録層４の表面には、保護層５が形成されている。
【００５０】
保護層５を形成するために用いられる材料はとくに限定されるものではないが、保護層５を形成するために用いられる材料は、Ａｌ２Ｏ３、ＡｌＮ、ＺｎＯ、ＺｎＳ、ＧｅＮ、ＧｅＣｒＮ、ＣｅＯ、ＳｉＯ、ＳｉＯ２、ＳｉＮおよびＳｉＣよりなる群から選ばれる少なくとも１種の誘電体材料を主成分として含んでいることが好ましく、ＺｎＳ・ＳｉＯ２を主成分として含んでいることがより好ましい。
【００５１】
また、保護層５の厚さもとくに限定されるものではないが、通常は、３ないし２００ｎｍである。
【００５２】
図２に示されるように、保護層５の表面上には、カバー層６が形成されている。
【００５３】
カバー層６は、レーザビームが透過する層であり、好ましくは、１０μｍないし３００μｍの厚さを有し、さらに好ましくは、５０μｍないし１５０μｍの厚さを有している。
【００５４】
カバー層６を形成する材料は、とくに限定されるものではないが、好ましくは、光硬化性樹脂によって、さらに好ましくは、紫外線硬化性樹脂であり、カバー層６は、スピンコーティング法によって、保護層５の表面に、紫外線硬化性樹脂溶液などの光硬化性樹脂溶液を塗布して、塗膜を形成し、得られた塗膜に紫外線などの光を照射して、塗膜を硬化させて形成されている。
【００５５】
図３は、基板２の再生専用領域に形成されたグルーブ２ａおよびランド２ｂの詳細を示す略平面図である。
【００５６】
図３に示されるように、基板２の再生専用領域に形成されたグルーブ２ａはウォブル（蛇行）しており、図３において、矢印Ａで示されるレーザビームの走査方向に対して、参照番号１２ａで示される第一のウォブル部では、グルーブ２ａは右側にウォブル（蛇行）し、参照番号１２ｂで示される第二のウォブル部では、グルーブ２ａが左側にウォブル（蛇行）している。
【００５７】
図４は、右側にウォブルしている第一のウォブル部１２ａのレーザビームの走査方向Ａに垂直な方向の略断面図である。
【００５８】
図４に示されるように、グルーブ２ａが右側にウォブル（蛇行）している第一のウォブル部１２ａでは、基板２の表面に対して、時計回りに測定をしたグルーブ２ａの左側の壁面の角度α１、すなわち、グルーブ２ａの左側の溝角度α１と、基板２の表面に対して、反時計回りに測定をしたグルーブ２ａの右側の壁面の角度α２、すなわち、グルーブ２ａの右側の溝角度α２とが、α１＞α２に設定されている。
【００５９】
図５は、左側にウォブルしている第二のウォブル部１２ｂのレーザビームの走査方向Ａに垂直な方向の略断面図である。
【００６０】
図５に示されるように、グルーブ２ａが左側にウォブル（蛇行）している第二のウォブル部１２ｂでは、基板２の表面に対して、時計回りに測定をしたグルーブ２ａの左側の壁面の角度β１、すなわち、グルーブ２ａの左側の溝角度β１と、基板２の表面に対して、反時計回りに測定をしたグルーブ２ａの右側の壁面の角度β２、すなわち、グルーブ２ａの右側の溝角度β２とが、β１＜β２に設定されている。
【００６１】
基板２にこのような形状のグルーブ２ａを形成するために用いられるスタンパを作製する場合には、たとえば、特定の波長のレーザビームを用いるＤｅｅｐ  ＵＶ法によって、レーザビームの走査方向に対して、レーザビームを左右に変位させることによって、スタンパの表面にウォブルを形成するとともに、レーザビームのパワーを調整することによって、グルーブ２ａが右側にウォブル（蛇行）している第一のウォブル部１２ａでは、基板２の表面に対して、時計回りに測定をしたグルーブ２ａの左側の壁面の角度α１、すなわち、グルーブ２ａの左側の溝角度α１と、基板２の表面に対して、反時計回りに測定をしたグルーブ２ａの右側の壁面の角度α２、すなわち、グルーブ２ａの右側の溝角度α２とが、α１＞α２に、グルーブ２ａが左側にウォブル（蛇行）している第二のウォブル部１２ｂでは、基板２の表面に対して、時計回りに測定をしたグルーブ２ａの左側の壁面の角度β１、すなわち、グルーブ２ａの左側の溝角度β１と、基板２の表面に対して、反時計回りに測定をしたグルーブ２ａの右側の壁面の角度β２、すなわち、グルーブ２ａの右側の溝角度β２とが、β１＜β２になるように、基板２の一方の主面に形成されたグルーブ２ａおよびランド２ｂと相補的な案内溝が形成されたスタンパが作製される。
【００６２】
本発明において、｜α１−α２｜および｜β１−β２｜が１°ないし６°以下であることが好ましい。｜α１−α２｜および｜β１−β２｜が１°ないし６°以下になるように、グルーブ２ａおよびランド２ｂを形成したときには、ピックアップのフォトディテクターへの戻り光量の差分量（回折量）を一層増加させ、ウォブルＣ／Ｎのキャリアを増加させる効果が大きくなり、ウォブル量を小さくしても同等のキャリア量が得ることができる。
【００６３】
ここに、光記録媒体１の再生専用領域に形成されたグルーブの溝の角度α１、α２、β１およびβ２は、原子間力顕微鏡（ＡＦＭ）にて計測している。
【００６４】
本実施態様によれば、グルーブ２ａが右側にウォブル（蛇行）している第一のウォブル部１２ａでは、基板２の表面に対して、時計回りに測定をしたグルーブ２ａの左側の壁面の角度α１、すなわち、グルーブ２ａの左側の溝角度α１と、基板２の表面に対して、反時計回りに測定をしたグルーブ２ａの右側の壁面の角度α２、すなわち、グルーブ２ａの右側の溝角度α２とが、α１＞α２に、グルーブ２ａが左側にウォブル（蛇行）している第二のウォブル部１２ｂでは、基板２の表面に対して、時計回りに測定をしたグルーブ２ａの左側の壁面の角度β１、すなわち、グルーブ２ａの左側の溝角度β１と、基板２の表面に対して、反時計回りに測定をしたグルーブ２ａの右側の壁面の角度β２、すなわち、グルーブ２ａの右側の溝角度β２とが、β１＜β２になるように、基板２の一方の主面上に、グルーブ２ａおよびランド２ｂを形成しているから、デトラックによるＳＥＲのマージンが広くなって、ピックアップの光検出器への戻り光量の差分量（回折量）が増加して、ウォブル信号のＣ／Ｎのキャリアを増大させることができるようになり、そのために、ウォブル量を小さくしても同等のキャリアを得ることができ、ウォブル量を小さくすることによって、クロストークを低減させ、ウォブル信号のＣ／Ｎのノイズを低減させることが可能になり、デトラックなどの外乱が生じても、ウォブル信号のＣ／Ｎのキャリアを増大させ、ノイズを低減させることができるため、ウォブル信号の品位を良好に維持することが可能になる。
【実施例】
【００６５】
以下、本発明の効果をより一層明らかなものとするために、実施例および比較例を掲げる。
【００６６】
実施例１
まず、基板の表面上に形成されるべきグルーブおよびランドに対応する凹凸形状の表面を有するスタンパを、２７０ｎｍの波長のレーザビームで露光をするＤｅｅｐ  ＵＶ法を用いて作製した。
【００６７】
スタンパの作成にあたっては、レーザビームの走査方向に対して、レーザビームを左右に変位させることによって、作製すべき基板の中心から２２．２ｍｍないし２３．５ｍｍに位置する再生専用領域に対応するスタンパの表面にウォブルを形成するとともに、レーザビームのパワーを変化させることによって、グルーブに対応する溝が右側にウォブルしている溝においては、基板の表面にグルーブが形成されたときに、基板の表面に対して、時計回りに測定をしたグルーブの左側の壁面の角度α１、すなわち、グルーブの左側の溝角度α１が２０°で、基板の表面にグルーブが形成されたときに、基板の表面に対して、反時計回りに測定をしたグルーブの右側の壁面の角度α２、すなわち、グルーブの右側の溝角度α２が１９°に、グルーブに対応する溝が左側にウォブルしている溝においては、基板の表面にグルーブが形成されたときに、基板の表面に対して、時計回りに測定をしたグルーブの左側の壁面の角度β１、すなわち、グルーブの左側の溝角度β１が１９°で、基板の表面にグルーブが形成されたときに、基板２の表面に対して、反時計回りに測定をしたグルーブの右側の壁面の角度β２、すなわち、グルーブの右側の溝角度β２が２０°になるように、スタンパに溝を形成した。
【００６８】
ここに、光記録媒体の再生専用領域に対応するスタンパの領域に０．３５μｍのトラックピッチで形成されたグルーブの溝の角度は、原子間力顕微鏡（ＡＦＭ）にて計測した。
【００６９】
このように作製されたスタンパを、成形金型に装着し、センターホールの中心から２２．２ｍｍないし２３．５ｍｍの範囲の再生専用領域に、０．３５μｍのトラックピッチと、半値幅が８０ｎｍで、ウォブル量の０−Ｐｅａｋが２５ｎｍのグルーブが形成され、センターホールの中心から２３．５ｍｍないし５８．０ｍｍのデータ記録領域に、０．３２μｍのトラックピッチが形成されるように、基板を射出成形法によって成形した。
【００７０】
こうして成形された基板の一方の主面上に、Ｉｎの含有量が０．２重量％のＡｇとＩｎの合金からなる６０ｎｍの厚さの反射層をスパッタリングによって形成した。
【００７１】
次いで、下記の構造式（１）によって表わされる構造を有する色素をＴＦＰ（テトラフルオロプロパノール）の溶剤に溶解させて得た色素溶液を、反射層の表面上に、スピンコーティング法により塗布することによって、記録層を形成した。ここに、記録層は、吸収最大波長λｍａｘでの３８１ｎｍにおける光学密度（ＯＤ値）が０．２４になるように、色素溶液を塗布して形成した。光学密度（ＯＤ値）は、基板のみの吸光度がゼロとして、基板の表面に、反射層を形成することなく、記録層を形成したときの吸光度と定義されている。
【００７２】
【化１９】
0005833848.tif 000020
記録層の形成後、温度８０℃で、３０分にわたって記録層を乾燥し、ＺｎＳ・ＳｉＯ２を２０ｎｍの膜厚になるようにスパッタリングして、保護層を形成した。
【００７３】
次いで、保護層の表面に、スピンコーティング法により、２０℃における弾性率が４０ＭＰａの紫外線硬化性樹脂を塗布して、塗膜を形成し、紫外線を照射して、塗膜を硬化させて、０．１ｍｍの膜厚を有するカバー層を形成した。
【００７４】
こうして、光記録媒体サンプル＃１を作製した。
【００７５】
以上のようにして作製された光記録媒体サンプル＃１を、パルステック工業株式会社製の光記録媒体評価装置「ＯＤＵ１０００」（商品名）にセットし、開口数０．８５の対物レンズを介して、光記録媒体サンプル＃１に４０５ｎｍの波長を有し、０．３５ｍＷの再生パワーを有するレーザビームを照射して、再生専用領域に記録されているディスクインフォメーション情報などのＤＩ情報を再生したところ、デトラックによるＳＥＲは、上限値を１×１０−３とすると、±４５ｎｍで、実用的に十分に広いマージンを得ることができた。
【００７６】
実施例２
溝角度α１および溝角度β２が２１°で、溝角度α２および溝角度β１が１８°になるように、基板の再生専用領域にグルーブおよびランドを形成した点を除いて、実施例１と同様にして、光記録媒体サンプル＃２を作製した。
【００７７】
以上のようにして作製された光記録媒体サンプル＃２を、パルステック工業株式会社製の光記録媒体評価装置「ＯＤＵ１０００」（商品名）にセットし、開口数０．８５の対物レンズを介して、光記録媒体サンプル＃２に４０５ｎｍの波長を有し、０．３５ｍＷの再生パワーを有するレーザビームを照射して、再生専用領域に記録されているディスクインフォメーション情報などのＤＩ情報を再生したところ、デトラックによるＳＥＲは、上限値を１×１０−３とすると、±５５ｎｍで、実用的に十分に広いマージンを得ることができた。
【００７８】
実施例３
溝角度α１および溝角度β２が２３°で、溝角度α２および溝角度β１が１８°になるように、基板の再生専用領域にグルーブおよびランドを形成した点を除いて、実施例１と同様にして、光記録媒体サンプル＃３を作製した。
【００７９】
以上のようにして作製された光記録媒体サンプル＃３を、パルステック工業株式会社製の光記録媒体評価装置「ＯＤＵ１０００」（商品名）にセットし、開口数０．８５の対物レンズを介して、光記録媒体サンプル＃３に４０５ｎｍの波長を有し、０．３５ｍＷの再生パワーを有するレーザビームを照射して、再生専用領域に記録されているディスクインフォメーション情報などのＤＩ情報を再生したところ、デトラックによるＳＥＲは、上限値を１×１０−３とすると、±６０ｎｍで、実用的に十分に広いマージンを得ることができた。
【００８０】
比較例１
基板のグルーブに対応する溝を形成する際のレーザビームのパワーを一定に保持して、溝角度α１および溝角度α２ならびに溝角度β１および溝角度β２がいずれも２０°になるように、基板の再生専用領域にグルーブおよびランドを形成した点を除いて、実施例１と同様にして、光記録媒体比較サンプル＃１を作製した。
【００８１】
以上のようにして作製された光記録媒体比較サンプル＃２を、パルステック工業株式会社製の光記録媒体評価装置「ＯＤＵ１０００」（商品名）にセットし、開口数０．８５の対物レンズを介して、光記録媒体比較サンプル＃１に４０５ｎｍの波長を有し、０．３５ｍＷの再生パワーを有するレーザビームを照射して、再生専用領域に記録されているディスクインフォメーション情報などのＤＩ情報を再生したところ、デトラックによるＳＥＲは、上限値を１×１０−３とすると、±２０ｎｍで、実用的に十分に広いマージンを得ることができなかった。
【００８２】
比較例２
実施例１と同様に、｜α１−α２｜および｜β１―β２｜が６°になるように、スタンパに溝を形成しようとしたが、｜α１−α２｜および｜β１―β２｜が６°になるように溝を形成することはできなかった。
【００８３】
実施例１ないし３ならびに比較例１および２から、グルーブが右側にウォブルしている部分において、基板の表面に対して、時計回りに測定をしたグルーブの左側の壁面の角度α１、すなわち、グルーブの左側の溝角度α１と、基板の表面に対して、反時計回りに測定をしたグルーブの右側の壁面の角度α２、すなわち、グルーブの右側の溝角度α２とがα１＞α２で、グルーブが左側にウォブルしている部分において、基板の表面に対して、時計回りに測定をしたグルーブの左側の壁面の角度β１、すなわち、グルーブ２ａの左側の溝角度β１と、基板の表面に対して、反時計回りに測定をしたグルーブ２ａの右側の壁面の角度β２、すなわち、グルーブの右側の溝角度β２とがβ１＜β２となるように、基板の表面にグルーブおよびランドを形成した場合には、デトラックによるＳＥＲのマージンが十分に広くなったのに対し、グルーブが右側にウォブルしている部分において、グルーブの左側の壁面と基板の表面とがなす角度と、グルーブの右側の壁面と基板の表面とがなす角度とが等しく、グルーブが左側にウォブルしている部分において、グルーブの左側の壁面と基板の表面とがなす角度と、グルーブの右側の壁面と基板の表面とがなす角度とが等しい場合には、デトラックによるＳＥＲのマージンは狭くなり、実用的でないことがわかった。
【００８４】
また、実施例１ないし３ならびに比較例１および２から、グルーブが右側にウォブルしている部分において、基板の表面に対して、時計回りに測定をしたグルーブの左側の壁面の角度α１、すなわち、グルーブの左側の溝角度α１と、基板の表面に対して、反時計回りに測定をしたグルーブの右側の壁面の角度α２、すなわち、グルーブの右側の溝角度α２との差の絶対値｜α１−α２｜が５°であり、グルーブが左側にウォブルしている部分において、基板の表面に対して、時計回りに測定をしたグルーブの左側の壁面の角度β１、すなわち、グルーブの左側の溝角度β１と、基板２の表面に対して、反時計回りに測定をしたグルーブの右側の壁面の角度β２、すなわち、グルーブの右側の溝角度β２との差の絶対値｜β１−β２｜が５°になるように、基板の表面にグルーブおよびランドを形成した場合、グルーブが右側にウォブルしている部分において、基板の表面に対して、時計回りに測定をしたグルーブの左側の壁面の角度α１、すなわち、グルーブの左側の溝角度α１と、基板の表面に対して、反時計回りに測定をしたグルーブの右側の壁面の角度α２、すなわち、グルーブの右側の溝角度α２との差の絶対値｜α１−α２｜が３°であり、グルーブが左側にウォブルしている部分において、基板の表面に対して、時計回りに測定をしたグルーブの左側の壁面の角度β１、すなわち、グルーブの左側の溝角度β１と、基板の表面に対して、反時計回りに測定をしたグルーブの右側の壁面の角度β２、すなわち、グルーブの右側の溝角度β２との差の絶対値｜β１−β２｜が３°になるように、基板の表面にグルーブおよびランドを形成した場合、および、グルーブが右側にウォブルしている部分において、グルーブの左側の溝角度α１と、グルーブの右側の溝角度α２との差の絶対値｜α１−α２｜が１°であり、グルーブが左側にウォブルしている部分において、グルーブの左側の溝角度β１と、グルーブの右側の溝角度β２との差の絶対値｜β１−β２｜が１°になるように、基板の表面にグルーブおよびランドを形成した場合には、デトラックによるＳＥＲのマージンが十分に広くなったのに対し、グルーブが右側にウォブルしている部分において、グルーブの左側の溝角度α１と、グルーブの右側の溝角度α２とが等しく、グルーブが左側にウォブルしている部分において、グルーブの左側の溝角度β１と、グルーブの右側の溝角度β２とが等しい場合には、デトラックによるＳＥＲのマージンは狭くなり、実用的ではなく、また、グルーブが右側にウォブルしている部分において、グルーブの左側の溝角度α１と、グルーブの右側の溝角度α２との差の絶対値｜α１−α２｜が６°で、グルーブが左側にウォブルしている部分において、グルーブの左側の溝角度β１と、グルーブの右側の溝角度β２との差の絶対値｜β１−β２｜が６°になるように、スタンパを作製することが困難で、グルーブが右側にウォブルしている部分において、グルーブの左側の溝角度α１と、グルーブの右側の溝角度α２との差の絶対値｜α１−α２｜およびグルーブが左側にウォブルしている部分において、グルーブの左側の溝角度β１と、グルーブの右側の溝角度β２との差の絶対値｜β１−β２｜が１°ないし５°であることが好ましいということがわかった。
【００８５】
本発明は、以上の実施態様に限定されることなく、特許請求の範囲に記載された発明の範囲内で種々の変更が可能であり、それらも本発明の範囲内に包含されるものであることはいうまでもない。
【００８６】
たとえば、前記実施態様ならびに前記実施例１ないし３においては、前記構造式（１）によって表わされる構造を有する色素を用いて、記録層を形成しているが、前記構造式（１）で表わされる構造を有する色素を用いて、記録層を形成することは必ずしも必要でなく、構造式（１）によって表わされる構造を有する色素に代えて、前記構造式（２）、（３）、（４）または（５）で表わされる構造を有する色素を用いて、記録層を形成することもできるし、上記一般式（１）ないし（４）で示される骨格を有する色素を用いて、記録層を形成することもできる。
【００８７】
さらに、前記実施態様ならびに前記実施例１ないし３においては、グルーブが右側にウォブル（蛇行）している部分において、基板の表面に対して、時計回りに測定をしたグルーブの左側の壁面の角度α１、すなわち、グルーブの左側の溝角度α１と、基板の表面に対して、反時計回りに測定をしたグルーブの右側の壁面の角度α２、すなわち、グルーブの右側の溝角度α２との差の絶対値｜α１−α２｜が１°、３°、５°になるように、グルーブとランドが形成され、グルーブが左側にウォブル（蛇行）している部分において、基板の表面に対して、時計回りに測定をしたグルーブの左側の壁面の角度β１、すなわち、グルーブの左側の溝角度β１と、基板の表面に対して、反時計回りに測定をしたグルーブの右側の壁面の角度β２、すなわち、グルーブの右側の溝角度β２との差の絶対値｜β１−β２｜が１°、３°、５°になるように、グルーブとランドが形成されているが、グルーブが右側にウォブル（蛇行）している部分において、グルーブの左側の溝角度α１と、グルーブの右側の溝角度α２との差の絶対値｜α１−α２｜およびグルーブが左側にウォブル（蛇行）している部分において、グルーブの左側の溝角度β１と、グルーブの右側の溝角度β２との差の絶対値｜β１−β２｜が０を越えるように、グルーブおよびランドが形成されていればよく、グルーブが右側にウォブル（蛇行）している部分において、グルーブの左側の溝角度α１と、グルーブの右側の溝角度α２との差の絶対値｜α１−α２｜が１°、３°、５°になるように、グルーブとランドが形成され、グルーブが左側にウォブル（蛇行）している部分において、グルーブの左側の溝角度β１と、グルーブの右側の溝角度β２との差の絶対値｜β１−β２｜が１°、３°、５°になるように、グルーブとランドが形成されていることは必ずしも必要でない。
【００８８】
また、前記実施態様ならびに前記実施例１ないし３においては、グルーブが右側にウォブル（蛇行）している部分において、基板の表面に対して、時計回りに測定をしたグルーブの左側の壁面の角度α１、すなわち、グルーブの左側の溝角度α１と、基板の表面に対して、反時計回りに測定をしたグルーブの右側の壁面の角度α２、すなわち、グルーブの右側の溝角度α２との差の絶対値｜α１−α２｜およびグルーブが左側にウォブル（蛇行）している部分において、基板の表面に対して、時計回りに測定をしたグルーブの左側の壁面の角度β１、すなわち、グルーブの左側の溝角度β１と、基板の表面に対して、反時計回りに測定をしたグルーブの右側の壁面の角度β２、すなわち、グルーブの右側の溝角度β２との差の絶対値｜β１−β２｜が等しい値に設定されているが、グルーブが右側にウォブル（蛇行）している部分において、グルーブの左側の溝角度α１と、グルーブの右側の溝角度α２との差の絶対値｜α１−α２｜およびグルーブが左側にウォブル（蛇行）している部分において、グルーブの左側の溝角度β１と、グルーブの右側の溝角度β２との差の絶対値｜β１−β２｜が等しい値に設定することは必ずしも必要でない。
【符号の説明】
【００８９】
１  光記録媒体
２  基板
２ａ  グルーブ
２ｂ  ランド
３  反射層
４  記録層
５  保護層
６  カバー層
１０  センターホール
【図１】
0005833848.tif 000030
【図２】
0005833848.tif 000031
【図３】
0005833848.tif 000032
【図４】
0005833848.tif 000033
【図５】
0005833848.tif 000034